(57)【要約】【課題】意匠の自由度を高めた、天井吊下型の空気調和装置の室内機を提供する【解決手段】空気調和装置の室内機１は、本体２と吊り部３を備えている。本体２は、吸込口４１と吹出口６１を有し、吊り部３によって、空調対象空間の天井から離れて配置されている。本体２の外郭は、少なくとも天面４と、下面５と、側面６，７とで構成され、吸込口４１は天面４に形成され、吹出口６１は側面６に形成されている。【選択図】図１
2007263545.tif 000002
【特許請求の範囲】
【請求項１】
天井吊下型の空気調和装置の室内機であって、
空気の吸込口（４１，１４１，２４１，３４１，４４１，５４１）と空気の吹出口（６１，１６１,２６１，３６１，４６１，５６１）とを有し、空調対象空間の天井から離れて配置される本体（２，１０２,２０２，３０２，４０２，５０２）と、
前記本体を前記天井から吊下げる吊り部（３，１０３，２０３，３０３，４０３，５０３）と、
を備え、
前記本体の外郭は、少なくとも前記天井と対向する天面（４，１０４，２０４，３０４，４０４，５０４）と、前記空調対象空間の床面と対向する下面（５，１０５，２０５，３０５，４０５，５０５）と、前記天面と前記下面との間に配置される側面（６，７，１０６，２０６，２０７，３０６，３０７，４０６，４０７，５０６，５０７）と、で構成され、
前記吸込口が、前記天面に形成されている、
空気調和装置の室内機（１，１０１，２０１，３０１，４０１，５０１）。
【請求項２】
前記天面が、上に凸となる形状に形成されている、
請求項１に記載の空気調和装置の室内機。
【請求項３】
前記吸込口（４１，１４１，２４１，３４１）、および前記吹出口（６１，１６１,２６１，３６１）が、前記下面（５，１０５，２０５，３０５）以外のところに形成されている、
請求項１に記載の空気調和装置の室内機（１，１０１，２０１，３０１）。
【請求項４】
前記吹出口が、前記側面に形成されている、
請求項１に記載の空気調和装置の室内機。
【請求項５】
前記下面（５，１０５，２０５，３０５）は、開口のない平面或いは曲面を成すように形成されている、
請求項１に記載の空気調和装置の室内機（１，１０１，２０１，３０１）。
【請求項６】
前記吊り部の内部に、冷媒が流通するための冷媒配管（３１，１３１，２３１，３３１，４３１，５３１）、ドレン水が排出されるためのドレン管（３２，１３２，２３２，３３２，４３２，５３２）、および前記本体へ電力を供給するための電線（３４，１３４，２３４，３３４，４３４，５３４）の、少なくともいずれか１つが収納される、
請求項１に記載の空気調和装置の室内機。
【請求項７】
前記吊り部が、前記天面の周縁以外のところから天井に向かって延出するように設けられている、
請求項１に記載の空気調和装置の室内機。
【請求項８】
前記本体（１０２，２０２）が、１本の前記吊り部（１０３，２０３）によって吊下げられている、
請求項１に記載の空気調和装置の室内機（１０１，２０１）。
【請求項９】
前記本体（２０２）が、前記吊り部（２０３）を中心軸として所定角度回転する、
請求項１に記載の空気調和装置の室内機（２０１）。
【請求項１０】
前記吊り部（３０３）は直方体形状を成し、
前記吊り部（３０３）に内蔵される運転用の制御装置（３０８）をさらに備えた、
請求項１に記載の空気調和装置の室内機（３０１）。
【請求項１１】
前記吸込口（４４１）が、前記天面（４０４）と、前記下面（４０５）とに形成され、
前記天面（４０４）、前記下面（４０５）のいずれか一方の前記吸込口（４４１）を塞ぐパネル（４０９）をさらに備えた、
請求項１に記載の空気調和装置の室内機（４０１）。
【請求項１２】
前記パネル（４０９）が照明機器（４１０）を含んでいる、
請求項１１に記載の空気調和装置の室内機（４０１）。
【請求項１３】
前記吸込口（５４１）が、前記天面（５０４）と、前記下面（５０５）とに形成され、
前記本体５０２にかぶせて、前記天面（５０４）、前記下面（５０５）のいずれか一方の前記吸込口（５４１）を塞ぐ筒状のケーシング（５０９）をさらに備えた、
請求項１に記載の空気調和装置の室内機（５０１）。
【請求項１４】
前記ケーシング（５０９）が、前記本体（５０２）の長手方向に沿って着脱される、
請求項１３に記載の空気調和装置の室内機（５０１）。
【請求項１５】
前記ケーシング（５０９）が、オーダーメードである、
請求項１３に記載の空気調和装置の室内機（５０１）。
【請求項１６】
前記ケーシング（５０９）の長手方向の端部から保守点検時が行われる、
請求項１３に記載の空気調和装置の室内機（５０１）。
【請求項１７】
前記本体（５０２）内に配置され、互いに反対方向を向く２つの送風口（５１２ａ，５１２ｂ）を有する送風機（５１２）と、
前記送風機（５１２）の２つの前記送風口（５１２ａ，５１２ｂ）を開閉する開閉板（５６４）と、
をさらに備え、
２つの前記送風口（５１２ａ，５１２ｂ）の開閉の組合せによって吹出方向が変更される、
請求項１に記載の空気調和装置の室内機（５０１）。
【請求項１８】
前記送風機（５１２）がシロッコファンである、
請求項１７に記載の空気調和装置の室内機（５０１）。
【請求項１９】
長手方向に連結設置される、
請求項１７に記載の空気調和装置の室内機（５０１）。
【発明の詳細な説明】
【技術分野】
【０００１】
本発明は、空気調和装置の室内機、特に、空調対象空間の天井に吊下げられる、天井吊下型の空気調和装置の室内機に関する。
【背景技術】
【０００２】
従来の天井吊下型の空気調和装置の室内機では、空気の吸込口、吹出口の少なくともいずれか一方が、室内機の下面に設けられ、室内機は、天井面に接近するように設置されている（例えば、特許文献１参照）。
【特許文献１】特開２００２−８９８７１号公報
【発明の開示】
【発明が解決しようとする課題】
【０００３】
しかしながら、上記従来の室内機では、天井との据付面が、室内機の天面に設けられているため、天面の造形が、天井によって制限されている。さらに、室内機の下面には、空気の吸込口或いは吹出口が設けられており、人目に触れやすい下面の造形が、吸込口や吹出口の開口によって制限をうけている。
【０００４】
一方、室内機が設置される建物内部においては、内装の多様化が進み、様々なデザインの居住空間が実現されており、これらの居住空間に適応するために、従来に比べて、意匠の自由度が高い空気調和装置の室内機が要望されている。
【０００５】
本発明の課題は、上記要望に鑑み、意匠の自由度を高めた、空気調和装置の室内機を提供することにある。
【課題を解決するための手段】
【０００６】
第１発明に記載の空気調和装置の室内機は、天井吊下型の空気調和装置の室内機であって、本体と吊り部とを備えている。本体は、空気の吸込口と空気の吹出口を有し、空調対象空間の天井から離れて配置されている。本体は、吊り部によって、天井から吊下げられている。本体の外郭は、少なくとも天面と、下面と、側面とで構成されている。天面は空調対象空間の天井と対向し、下面は空調対象空間の床面と対向している。側面は天面と下面との間に配置されている。空気の吸込口は、天面に形成されている。
【０００７】
この空気調和装置の室内機では、天面が空調対象空間の天井から離れているので、天面の造形が天井によって制限されることはほとんどなくなり、天面の意匠の自由度が高くなる。また、吸込口は、天面に設けられることによって、人目に触れにくくなり、人に意匠上の不快感を与えることがほとんどなくなる。
【０００８】
第２発明に記載の空気調和装置の室内機は、第１発明に記載の空気調和装置の室内機であって、天面が、上に凸となる形状に形成されている。
【０００９】
ここでは、本体の中央部が厚くなり、本体の外周部が薄くなることによって、本体が薄く感じられる。すなわち、意匠による視覚効果を利用して、薄さ感を助長することができる。
【００１０】
第３発明に記載の空気調和装置の室内機は、第１発明に記載の空気調和装置の室内機であって、吸込口と吹出口が、下面以外のところに形成されている。
【００１１】
ここでは、下面の造形が、吸込口、吹出口の形状にほとんど制限されない。このため、下面の意匠の自由度が高くなる。
【００１２】
第４発明に記載の空気調和装置の室内機は、第１発明に記載の空気調和装置の室内機であって、吹出口が、側面に形成されている。
【００１３】
ここでは、下面に吹出口を形成する必要がなくなるので、下面の意匠の自由度が高くなる。また、一般に室内機の熱交換器は側面に沿うように配置されているので、吹出口が側面に設けられることによって、熱交換器から吹出口までの風路距離が短くなり、風路流量損失が減少する。
【００１４】
第５発明に記載の空気調和装置の室内機は、第１発明に記載の空気調和装置の室内機であって、下面が、開口のない平面或いは曲面を成すように形成されている。
【００１５】
ここでは、下面に開口がないため、下面の造形が、開口によって制限されることがほとんどなく、下面の意匠の自由度が高くなる。さらに、意匠上、清潔感のある外観が維持される。
【００１６】
第６発明に記載の空気調和装置の室内機は、第１発明に記載の空気調和装置の室内機であって、吊り部の内部には、冷媒配管、ドレン管、電線の、少なくともいずれか１つが収納されている。冷媒配管は、冷媒が流通するための管であり、ドレン管は、ドレン水が排出されるための管である。電線は、電力を本体へ供給するためのものである。
【００１７】
ここでは、施工時に引き回しを必要とする、管状、線状の部材が、吊り部に覆われ、人目に触れなくなる。このため、室内機や天井の外観が、施工によって損なわれることがほとんどない。
【００１８】
第７発明に記載の空気調和装置の室内機は、第１発明に記載の空気調和装置の室内機であって、吊り部が、天面の周縁部以外のところから延出するように設けられている。
【００１９】
このため、本体と吊り部との連結位置が、人目に触れにくくなり、室内機の外観の美しさが損なわれにくくなる。また、吊り部が天面の周縁部から天井に向かって延出する室内機に比べて、本体に連結される吊り部の数量が少なくなり、吊りボルトが削減される。このため、材料費、施工工数が削減される。
【００２０】
第８発明に係る空気調和装置の室内機は、第１発明に係る空気調和装置の室内機であって、本体が１本の吊り部によって吊下げられている。
【００２１】
この室内機では、本体重心上に吊り部が配置され、吊り部に対して前後対称、左右対称を成す。このため、釣り合いがとれた見栄えの良い意匠となる。
【００２２】
第９発明に係る空気調和装置の室内機は、第１発明に係る空気調和装置の室内機であって、本体が吊り部を中心軸として所定角度回転する。
【００２３】
この室内機では、使用者が空気の吹出方向を９０度転換することができる。このため、冷気或いは暖気に直接当たりたくないとき、使用者が位置を変える必要がなく、使い勝手が良い。
【００２４】
第１０発明に係る空気調和装置の室内機は、第１発明に係る空気調和装置の室内機であって、吊り部が直方体形状を成す。また、この室内機は、吊り部に内蔵される運転用の制御装置をさらに備えている。
【００２５】
この室内機では、天井面と本体との間に存在する未使用空間が有効に利用される。このため、本体内部の空間に余裕が生まれ、設計の自由度、意匠の自由度が増す。
【００２６】
第１１発明に係る空気調和装置の室内機は、第１発明に係る空気調和装置の室内機であって、吸込口が、天面と、下面とに形成され、天面、下面のいずれか一方の吸込口を塞ぐパネルをさらに備えている。
【００２７】
この室内機では、使用者が吸込口の位置を選択できる。使用者は、吸込口の露出が気になる場合は、吸込口位置を天面へ変更できるので、使い勝手が良い。
【００２８】
第１２発明に係る空気調和装置の室内機は、第１１発明に係る空気調和装置の室内機であって、パネルが照明機器を含んでいる。
【００２９】
この室内機では、室内機が照明機器を兼ねる。従来、照明は天井中央、室内機は天井端に設置されるのが一般的であったが、ここでは、室内機を天井中央に設置しても邪魔にならない。このため、室内機の天井設置位置の自由度が増す。
【００３０】
第１３発明に係る空気調和装置の室内機は、第１発明に係る空気調和装置の室内機であって、吸込口が、天面と、下面とに形成されている。また、この室内機は、本体にかぶせて、天面、下面のいずれか一方の吸込口を塞ぐ筒状のケーシングをさらに備えている。
【００３１】
この室内機では、使用者が吸込口の位置を選択できる。使用者は、吸込口の露出が気になる場合は、吸込口位置を天面へ変更できるので、使い勝手が良い。
【００３２】
第１４発明に係る空気調和装置の室内機は、第１３発明に係る空気調和装置の室内機であって、ケーシングが本体の長手方向に沿って着脱される。
【００３３】
この室内機では、使用者がケーシングを交換することができる。このため、長期使用による色あせ、汚れに対して修繕し易く、使い勝手がよい。
【００３４】
第１５発明に係る空気調和装置の室内機は、第１３発明に係る空気調和装置の室内機であって、ケーシングがオーダーメードである。
【００３５】
この室内機では、使用者の好みが、意匠に反映される。このため、市場での訴求力が助長される。
【００３６】
第１６発明に係る空気調和装置の室内機は、第１３発明に係る空気調和装置の室内機であって、ケーシングの長手方向の端部から保守点検時が行われる。
【００３７】
この室内機では、点検者が、本体の側面からファン、フィルタ等を保守点検することができる。従来の、下から見上げる姿勢での点検は、点検者に肉体的負担を強いることがあったが、ここでは、点検作業が容易になる。
【００３８】
第１７発明に係る空気調和装置の室内機は、第１発明に係る空気調和装置の室内機であって、送風機と開閉板とを備えている。送風機は、本体内に配置され、互いに反対方向を向く２つの送風口を有する。開閉板は、送風機の２つの送風口を開閉する。２つの送風口の開閉の組合せによって吹出方向が変更される。
【００３９】
この室内機では、使用者が、空気が本体の両側面から吹き出されるタイプ、本体の片側側面から吹き出されるタイプの、いずれか一方を選択することができる。このため、冷気或いは暖気に直接当たりたくないとき、使用者が位置を変える必要がなく、使い勝手が良い。
【００４０】
第１８発明に係る空気調和装置の室内機は、第１７発明に係る空気調和装置の室内機であって、送風機がシロッコファンである。
【００４１】
この室内機では、送風機に２つの送風口を設けることができ、且つ小型である。このため、設計の自由度が向上する。
【００４２】
第１９発明に係る空気調和装置の室内機は、第１８発明に係る空気調和装置の室内機であって、長手方向に連結設置される。
【００４３】
この室内機では、連結設置によって、小容量から高容量まで１機種で対応できる。このため、製造コストが下がる。
【発明の効果】
【００４４】
第１発明に係る空気調和装置の室内機では、天面が空調対象空間の天井から離れているので、天面の造型が、天井によって制限されることはほとんどなくなり、意匠の自由度が高くなる。また、吸込口が、人目に触れにくくなり、人に意匠上の不快感を与えることがほとんどなくなる。
【００４５】
第２発明に係る空気調和装置の室内機では、本体の中央部が厚くなり、本体の外周部が薄くなることで、本体が薄く感じられる。すなわち、意匠による視覚効果を利用して薄さ感を助長することができる。
【００４６】
第３発明に係る空気調和装置の室内機では、下面の造形が、吸込口、吹出口の形状に制限されない。このため、下面の意匠の自由度が高くなる。
【００４７】
第４発明に係る空気調和装置の室内機は、下面に吹出口を形成する必要がなくなるので、下面の意匠の自由度が高くなる。さらに、熱交換器から吹出口までの風路距離が短くなり、風路流量損失が少なくなる。
【００４８】
第５発明に係る空気調和装置の室内機では、下面に開口がないため、下面の造形が、開口によって制限されることがほとんどなく、下面の意匠の自由度が高くなる。さらに、意匠上、清潔感のある外観が維持される。
【００４９】
第６発明に係る空気調和装置の室内機では、施工時に引き回しを必要とする、管状、線状の部材が、吊り部に覆われ、人目に触れなくなる。このため、室内機や天井の外観が、施工によって損なわれることがほとんどない。
【００５０】
第７発明に係る空気調和装置の室内機では、本体と吊り部との連結位置が、人目に触れにくくなり、外観の美しさが損なわれにくくなる。また、吊り部が天面の周縁部から天井に向かって延出する室内機に比べて、本体に連結される吊り部の数量が少なくなり、吊りボルトが削減される。このため、材料費、施工工数が削減される。
【００５１】
第８発明に係る空気調和装置の室内機では、本体重心上に吊り部が配置され、吊り部に対して前後対称、左右対称を成すので、釣り合いがとれた見栄えの良い意匠となる。
【００５２】
第９発明に係る空気調和装置の室内機では、使用者が空気の吹出方向を９０度転換することができるので、冷気或いは暖気に直接当たりたくないとき、使用者が位置を変える必要がなく、使い勝手が良い。
【００５３】
第１０発明に係る空気調和装置の室内機では、天井面と本体との間に存在する未使用空間が有効に利用されるので、本体内部の空間に余裕が生まれ、設計の自由度、意匠の自由度が増す。
【００５４】
第１１発明に係る空気調和装置の室内機では、使用者が吸込口の位置を選択できるので、吸込口の露出が気になる場合は、吸込口位置を天面へ変更でき、使い勝手が良い。
【００５５】
第１２発明に係る空気調和装置の室内機では、室内機が照明機器を兼ねる。従来、照明は天井中央、室内機は天井端に設置されるのが一般的であったが、ここでは、室内機を天井中央に設置しても邪魔にならない。このため、室内機の天井設置位置の自由度が増す。
【００５６】
第１３発明に係る空気調和装置の室内機では、使用者が吸込口の位置を選択できるので、吸込口の露出が気になる場合は、吸込口位置を天面へ変更でき、使い勝手が良い。
【００５７】
第１４発明に係る空気調和装置の室内機では、使用者はケーシングを交換することができるので、長期使用による色あせ、汚れに対して修繕し易くなる。
【００５８】
第１５発明に係る空気調和装置の室内機では、使用者の好みが意匠に反映されるので、市場での訴求力が助長される。
【００５９】
第１６発明に係る空気調和装置の室内機では、本体の側面からファン、フィルタ等を保守点検することができる。従来の、下から見上げる姿勢での点検は、点検者に肉体的負担を強いることがあったが、ここでは、点検作業が容易になる。
【００６０】
第１７発明に係る空気調和装置の室内機では、使用者が、空気が本体の両側面から吹き出されるタイプ、本体の片側側面から吹き出されるタイプの、いずれか一方を選択することができる。このため、冷気或いは暖気に直接当たりたくないとき、使用者が位置を変える必要がなく、使い勝手が良い。
【００６１】
第１８発明に係る空気調和装置の室内機では、送風機に２つの送風口を設けることができ、且つ小型である。このため、設計の自由度が向上する。
【００６２】
第１９発明に係る空気調和装置の室内機では、連結設置によって、小容量から高容量まで１機種で対応できる。このため、製造コストが下がる。
【発明を実施するための最良の形態】
【００６３】
〔第１実施形態〕
＜室内機の構成＞
本発明の第１実施形態に係る空気調和装置の室内機を上方から見た場合の外観斜視図を図１に、同室内機を下方から見た場合の外観斜視図を図２に示す。空気調和装置の室内機１は、図１に示すように、天井吊下型であり、内部に各種構成機器を収納する本体２と、本体２を天井から吊下げるための吊り部３とで構成されている。本体２の外郭は、天面４と、下面５と、２つの長側面６と、２つの短側面７とによって構成されている。
【００６４】
天面４の形状は、平面視においては長方形であり、側面視においては、上に凸の滑らかな円弧である。天面４の中央には、吸込口４１が形成されており、吸込口４１の周縁形状は、平面視において長方形であり、側面視においては、上に凸の滑らかな円弧である。吸込口４１には、フィルタ４２が装着されており、フィルタ４２は、吸込口４１から吸い込まれる空気中の塵埃を除去する。
【００６５】
下面５の形状は、平面視においては長方形であり、側面視においては、下に凸の滑らかな円弧である。下面５には、吸込口や吹出口等の開口が、一切形成されておらず、連続した滑らかな曲面が形成されている。
【００６６】
長側面６の形状は、長方形であり、本体２の長手方向と並行している。長側面６のほぼ全域にわたって、吹出口６１が形成されており、吹出口６１の周縁形状は長方形である。吹出口６１には、複数のスリットからなるカバー６２が装着されている。カバー６２は、吹出される空気流に対してほとんど抵抗とはならず、且つ本体２内部を外部から見えないように遮蔽する機能がある。短側面７の形状は、略楕円形状であり、本体２の長手方向と直交している。
【００６７】
なお、従来の空気調和装置では、吸込口や吹出口の周縁に付着した埃、フィルタに堆積した塵埃などが、人目に触れやすく、不快感を与える可能性が高かったが、本実施形態では、下面が、開口の一切ない、連続した滑らかな曲面を成しているので、従来のような不快感を与える可能性は、ほぼ解消される。
【００６８】
＜室内機の内部構造＞
図３は、図１のIII−III断面図であり、図４は、図１のIV−IV断面図である。図３に示すように、送風機１２は、本体２内に２つ配置されており、本実施形態では、遠心式の送風機を採用している。送風機１２の下方には、送風機１２を駆動するモータ１３が配置され、送風機１２の上方には、ベルマウス１４が配置されている。ベルマウス１４は、送風機１２によって吸入された空気を送風機１２の入口に集合させる。
【００６９】
図４に示すように、熱交換器１５は、送風機１２と長側面６との間に配置され、送風機１２から吹き出された空気と熱交換を行う。熱交換器１５と吹出口６１は隣接しているので、風路が短く、風路流量損失が少ない。
【００７０】
ドレンパン１６は、冷房時に熱交換器１５に結露して滴下してくるドレン水を、ドレンポンプ１７の下方へ導いて集合させる。ドレンポンプ１７は、ドレン水を後述のドレン配管３２へ排出する。
【００７１】
吊り部３の内部には、冷媒配管３１、ドレン配管３２、吊りボルト３３、電線３４が収納されている。冷媒配管３１は、液側冷媒配管（図示せず）とガス側冷媒配管（図示せず）とで構成されており、空調対象空間外側の室外ユニット（図示せず）に接続されている。ドレン配管３２は、ドレンポンプ１７からは排出されたドレン水が通る管である。吊りボルト３３は、金属製の長ボルトであり、吊りボルト３３の頭部は、短側面７内側の壁に固定されている。電線３４は、本体２内に収納されているモータ１３などの各種機器へ電力を供給する。
【００７２】
本実施形態では、吊り部３の内部に、冷媒配管３１、ドレン配管３２、吊りボルト３３、電線３４が収納されているため、室内機１や天井の外観が、施工によって損なわれることがほとんどない。
【００７３】
＜室内機の動作＞
空気調和装置の室内機１が運転を開始すると、モータ１３が送風機１２を回転させ、吸込口４１から空気が吸入される。吸入された空気は、フィルタ４２を通過する際に、塵埃などが除去され、ベルマウス１４を経て送風機１２内に吸い込まれる。送風機１２は、空気を熱交換器１５に当てて、熱交換を促進させる。熱交換器１５を通過した空気は、吹出口６１から吹き出される。
【００７４】
＜特徴＞
（１）
この空気調和装置の室内機１では、天井から離れて配置される本体２と、本体２を天井から吊下げるための吊り部３とで構成されている。本体２の外郭は、天面４と、下面５と、２つの長側面６と、２つの短側面７とによって構成されている。このため、天面４の造形が天井に制限されることがなく、天面４の意匠の自由度が高くなる。また、天面４の中央には、吸込口４１が形成され、吸込口４１には、空気中の塵埃を除去するフィルタ４２が装着されている。このため、フィルタ４２の汚れなどが人目に触れにくくなり、人に不快感を与えることがほとんどない。また、吸込口４１が人目に触れないので、人に意匠上の不快感を与えることがほとんどない。さらに、天面４の形状は、上に凸の滑らかな円弧曲面であるため、本体２の中央部が厚く、外周部が薄くなり、本体２の見かけ上の薄さ感が助長される。
【００７５】
（２）
この空気調和装置の室内機１では、天面４に吸込口４１、長側面６に吹出口６１が形成されているので、下面５には、吸込口や吹出口等の開口が一切なく、下に凸の連続した滑らかな曲面が形成されているだけである。このため、意匠上、清潔感のある外観が維持される。また、下面５の造形が、吸込口４１、吹出口６１によって制限されることがほとんどないので、下面５の意匠の自由度が高くなる。また、長側面６に吹出口６１が形成されているので、熱交換器１５から吹出口６１までの風路距離が短く、風路流量損失が少ない。
【００７６】
（３）
この空気調和装置の室内機１では、吊り部３の内部に、冷媒配管３１、ドレン配管３２、吊りボルト３３、電線３４が収納されている。このため、施工時に引き回しを必要とする管状、線状の部材が、人目に触れず、室内機や天井の外観が、施工によって損なわれることがほとんどない。
【００７７】
（４）
この空気調和装置の室内機１では、吊り部３が、天面４の両端で、且つ周縁部からはみ出ないように、連結されている。このため、本体２と吊り部３との連結位置が、ほとんど人目に触れないので、外観の美しさが損なわれにくくなる。さらに、吊りボルトが天面の周縁部から天井に向かって延出する室内機に比べて、本体２に連結される吊り部３の数量が少なくなり、吊りボルト３３が削減され、材料費、施工工数が削減される。
【００７８】
〔第２実施形態〕
＜室内機の構成＞
次に、本発明の第２実施形態について、図面を参照しながら説明する。本発明の第２実施形態に係る空気調和装置の室内機１０１を上方から見た場合の外観斜視図を図５に示す。空気調和装置の室内機１０１は、図５に示すように、内部に各種構成機器を収納する本体１０２と、本体１０２を天井から吊下げるための１つの吊り部１０３とで構成されている。本体１０２の外郭は、天面１０４と、下面１０５と、１つの側面１０６とによって構成されている。
【００７９】
天面１０４の形状は、平面視においては円形であり、側面視においては、上に凸の滑らかな円弧である。天面１０４の中央から天井に向かって、円柱状の吊り部１０３が延出している。また、天面１０４には、吊り部１０３との連結部を囲むように２つの吸込口１４１が形成されており、吸込口１４１の周縁形状は、平面視において略扇形であり、側面視においては、ほぼ上に凸の滑らかな円弧である。なお、図５において、吸込口１４１が１つ見えるだけであるが、実際には天面１０４の中心に対して点対称の位置にもう１つの吸込口１４１が形成されている。吸込口１４１には、フィルタ１４２が装着されており、フィルタ１４２は、吸込口１４１から吸い込まれる空気中の塵埃を除去する。
【００８０】
下面１０５の形状は、平面視においては円形であり、側面視においては、下に凸の滑らかな円弧である。下面１０５には、吸込口や吹出口等の開口が、一切形成されておらず、連続した滑らかな曲面が形成されている。
【００８１】
側面１０６は、円筒状で、上端が天面１０４の周縁近傍に接し、下端が下面１０５の周縁近傍に接する。側面１０６には、２つの吹出口１６１が形成されており、吹出口１６１には、複数のスリットからなるカバー１６２が装着されている。なお、図５において、吹出口１６１が１つ見えるだけであるが、実際には側面１０６の中心に対して点対称の位置にもう１つの吹出口１６１が形成されている。カバー１６２は、吹出される空気流に対してほとんど抵抗とはならず、且つ本体１０２内部を外部から見えないように遮蔽する機能がある。
【００８２】
＜室内機の内部構造＞
図６は、図５のＣ−Ｃ線における断面図である。図６に示すように、送風機１１２は、本体１０２内に１つ配置されており、本実施形態では、遠心式の送風機を採用している。送風機１１２の下方には、送風機１１２を駆動するモータ１１３が配置され、送風機１１２の上方には、ベルマウス１１４が配置されている。ベルマウス１１４は、送風機１１２によって吸入された空気を送風機１１２の入口に集合させる。
【００８３】
熱交換器１１５は、中空の半円柱形をしており、送風機１１２と側面１０６との間に、送風機１１２の外周を囲むように配置され、送風機１１２から吹き出された空気と熱交換を行う。熱交換器１１５と吹出口１６１は隣接しているので、風路が短く、風路流量損失が少ない。
【００８４】
ドレンパン１１６は、冷房時に熱交換器１１５に結露して滴下してくるドレン水を、ドレンポンプ（図示せず）の下方へ導いて集合させる。そのドレンポンプが、ドレン水を後述のドレン配管１３２へ排出する。
【００８５】
吊り部３の内部には、冷媒配管１３１、ドレン配管１３２、吊りボルト１３３、電線１３４が収納されている。冷媒配管１３１は、熱交換器１１５の端面から出て、天面１０４の内面に沿って中央に引き回され、吊り部１０３の内部を通って天井へ導かれている。ドレン配管１３２は、ドレンポンプからは排出されたドレン水が通る管であり、ドレンパン１１６から出て、天面１０４の内面に沿って中央に引き回され、吊り部１０３の内部を通って天井へ導かれている。吊りボルト１３３は、金属製のボルトであり、吊りボルト１３３の頭部は、天面１０４内側に固定されている。電線１３４は、本体１０２内に収納されているモータ１１３などの各種機器へ電力を供給する。電線１３４は、冷媒配管１３１、或いはドレン配管１３２と並行に引き回され、吊り部１０３の内部を通って天井に導かれる。
【００８６】
本実施形態では、吊り部１０３の内部に、冷媒配管１３１、ドレン配管１３２、吊りボルト１３３、電線１３４が収納されているため、室内機や天井の外観が、ほとんど損なわれない。
【００８７】
＜室内機の動作＞
空気調和装置の室内機１０１が運転を開始すると、モータ１１３が送風機１１２を回転させ、吸込口１４１から空気が吸入される。吸入された空気は、フィルタ１４２を通過する際に、塵埃などが除去され、ベルマウス１１４を経て送風機１１２内に吸い込まれる。送風機１１２は、空気を熱交換器１１５に当てて、熱交換を促進させる。熱交換器１１５を通過した空気は、吹出口１６１から吹き出される。
【００８８】
＜特徴＞
（１）
この空気調和装置の室外機１０１では、天井から離れて配置される本体１０２と、本体１０２を天井から吊下げるための１つの吊り部１０３とで構成されている。本体１０２の外郭は、天面１０４と下面１０５、側面１０６とによって構成されている。このため、天面１０４の造形が天井に制限されることがなく、天面１０４の意匠の自由度が高くなる。また、天面１０４には、吸込口１４１が形成され、吸込口１４１には、空気中の塵埃を除去するフィルタ１４２が装着されている。このため、フィルタの汚れなどが人目に触れにくく、人に不快感を与えることがほとんどない。また、吸込口１４１が人目に触れないので、人に意匠上の不快感を与えることがほとんどない。さらに、天面１０４の形状は、上に凸の滑らかな円弧平面であるので、本体１０２の中央部が厚く、外周部が薄くなり、本体１０２の見かけ上の薄さ感が助長され、且つ、側面１０６が円筒状であるので、小型感も助長される。また、側面１０６に吹出口１６１が形成されているので、熱交換器１１５から吹出口１６１までの風路距離が短く、風路流量損失が少ない。
【００８９】
（２）
この空気調和装置の室外機１０１では、下面１０５には、吸込口や吹出口等の開口が一切なく、下に凸の連続した滑らかな曲面が形成されているだけである。このため、意匠上、清潔感のある外観が維持される。また、下面１０５の造形は、吸込口１４１、吹出口１６１によって制限されることがほとんどないので、下面１０５の意匠の自由度が高くなる。
【００９０】
（３）
この空気調和装置の室内機１０１では、吊り部１０３の内部に、冷媒配管１３１、ドレン配管１３２、吊りボルト１３３、電線１３４が収納されている。このため、施工時に引き回しを必要とする管状、線状の部材が、人目に触れず、室内機や天井の外観が、施工によって損なわれることがほとんどない。
【００９１】
（４）
この空気調和装置の室内機１０１では、吊り部１０３が、天面１０４の中央に連結されている。このため、本体１０２と吊り部１０３との連結位置が、ほとんど人目に触れないので、外観の美しさが損なわれにくくなる。さらに、吊り部１０３が１つであるため、吊りボルト１３３が削減され、材料費、施工工数が削減される。
【００９２】
〔第３実施形態〕
＜室内機２０１の構成＞
本発明の第３実施形態に係る空気調和装置の室内機を上方から見た場合の外観斜視図を図７に示す。なお、各構成要件の名称は、第１実施形態と対応させて同じ名称を使用し、詳細な説明は省略する。空気調和装置の室内機２０１は、内部に各種構成機器を収納する本体２０２と、本体２０２を天井から吊下げるための１つの吊り部２０３とで構成されている。本体２０２の外郭は、天面２０４と、下面２０５と、２つの長側面２０６と、２つの短側面２０７とによって構成されている。吊り部２０３は、天面２０４の中央から出て天井に至る。
【００９３】
＜室内機２０１の内部構造＞
図８（ａ）は、本体内部を表した斜視図であり、図８（ｂ）は、吊りボルトの斜視図である。図８（ａ）に示すように、送風機２１２は、本体２０２内に２つ配置されており、本実施形態では、シロッコファンを採用している。２つの送風機２１２の間には、送風機２１２を駆動するモータ２１３が配置されている。
【００９４】
熱交換器２１５は、送風機２１２と長側面２０６との間に配置され、送風機２１２から吹き出された空気と熱交換を行う。熱交換器２１５と吹出口２６１は隣接しているので、風路が短く、風路流量損失が少ない。
【００９５】
本実施形態の室内機２０１では、使用者が吊り部２０３を中心に本体２０２を９０度回転させると、吊り部２０３内部の冷媒配管２３１の屈曲部２３１ａ、ドレン配管２３２の屈曲２３２ａが順応して捩れる。このとき、吊りボルト２３３は回転しないが、図８（ｂ）に示す金具２３３ａが本体２０２と共に回転する。
【００９６】
＜第３実施形態の特徴＞
第３実施形態は、第１実施形態の特徴に加えて、次の特徴を有する。この空気調和装置の室内機２０１では、本体２０２が、吊り部２０３を中心軸として９０度回転する。このため、使用者は空気が吹き出される方向を調整でき、使い勝手が良い。
【００９７】
〔第４実施形態〕
＜室内機３０１の構成＞
本発明の第４実施形態に係る空気調和装置の室内機を上方から見た場合の外観斜視図を図９に示す。なお、各構成要件の名称は、第１実施形態と対応させて同じ名称を使用し、詳細な説明は省略する。空気調和装置の室内機３０１は、本体３０２と、本体３０２を天井から吊下げるための吊り部３０３とで構成されている。本体３０２の外郭は、天面３０４と、下面３０５と、２つの長側面３０６と、２つの短側面３０７とによって構成されている。吊り部３０３は、形状が直方体を成し、天面３０４の中央を長手方向に横断している。
【００９８】
吊り部３０３の内部には、冷媒配管３３１、ドレン配管３３２、吊りボルト３３３、電線３３４の他に、本体３０２を運転制御する制御装置３０８が収納されている。
【００９９】
＜第４実施形態の特徴＞
第４実施形態では、第１実施形態の特徴に加えて、次の特徴を有する。この空気調和装置の室内機３０１では、吊り部３０３の形状が直方体を成す。吊り部３０３には、本体３０２の運転を制御する制御装置３０８が内蔵されている。このため、天井面と本体３０２との間に存在する未使用空間が有効に利用され、本体３０２内部の空間に余裕が生まれ、設計の自由度、意匠の自由度が増す。
【０１００】
〔第５実施形態〕
＜室内機４０１の構成＞
本発明の第５実施形態に係る空気調和装置の室内機を上方から見た場合の外観斜視図を図１０に示す。なお、各構成要件の名称は、第１実施形態と対応させて同じ名称を使用し、詳細な説明は省略する。空気調和装置の室内機４０１は、本体４０２と、本体４０２を天井から吊下げるための２つの吊り部４０３とで構成されている。本体４０２の外郭は、天面４０４と、下面４０５と、２つの長側面４０６と、２つの短側面４０７とによって構成されている。
【０１０１】
下面４０５の形状は、平面視においては長方形であり、側面視においては、下に凸の滑らかな円弧である。下面４０５には、天面４０４と同様の吸込口（図示せず）が形成されており、パネル４０９によって塞がれている。パネル４０９は、下面４０５の曲面に沿うように形成されており、４個の取付爪４０９ａが、下面４０５の所定の孔４０５ａにスナップフィットで嵌合する。
【０１０２】
本実施形態では、吸込口４４１を天面４０４側にしているが、使用者の要望があれば、天面４０４の吸込口４４１を塞ぎ、下面４０５の吸込口（図示せず）を利用してもよい。
【０１０３】
＜第５実施形態の特徴＞
第５実施形態では、第１実施形態の特徴に加えて、次の特徴を有する。この空気調和装置の室内機４０１は、吸込口４４１が、天面４０４、下面４０５の両方に形成されている。そして、天面４０４、下面４０５のいずれか一方の吸込口４４１を塞ぐパネル４０９をさらに備えている。ここでは、下面４０５の吸込口４４１がパネル４０９によって塞がれているが、天面４０４の吸込口４４１が塞がれてもよい。このため、使用者は吸込口４４１の位置を選択でき、吸込口の露出が気になる場合は、吸込口位置を天面へ変更できるので使い勝手が良い。
【０１０４】
〔第５実施形態の変形例〕
＜室内機４０１変形例の構成＞
本発明の第５実施形態に係る空気調和装置の室内機の変形例を上方から見た場合の外観斜視図を図１１に示す。なお、第５実施形態と一致する部分は同じ符号を付し説明を省略する。
【０１０５】
下面４０５は、照明機器４１０によって塞がれている。照明機器４１０は、下面４０５の曲面に沿うように形成されており、４個の取付爪４１０ａが、下面４０５の所定の孔４０５ａにスナップフィットで嵌合する。
【０１０６】
また、照明機器４１０の電源コード４１０ｂのプラグ４１０ｃが、下面４０５のプラグ孔４０５ｂに装着される。
【０１０７】
＜第５実施形態変形例の特徴＞
第５実施形態変形例では、第１実施形態の特徴に加えて、次の特徴を有する。この空気調和装置の室内機４０１では、パネル４０９が照明機器４１０を含んでいる。ここでは、室内機４０１が照明を兼ねるので、室内機の天井設置位置の自由度が増す。
【０１０８】
〔第６実施形態〕
＜室内機５０１の構成＞
本発明の第６実施形態に係る空気調和装置の室内機を上方から見た場合の外観斜視図を図１２に示す。なお、各構成要件の名称は、第１実施形態と対応させて同じ名称を使用し、詳細な説明は省略する。空気調和装置の室内機５０１は、内部に各種構成機器を収納する本体５０２と、本体５０２を天井から吊下げるための２つの吊り部５０３とで構成されている。本体５０２の外郭は、天面５０４と、下面５０５と、２つの長側面５０６と、１つの短側面５０７とによって構成されている。
【０１０９】
天面５０４の中央は、僅かに隆起した突起５０４ａが長手方向に横断している。そして突起５０４ａを挟むように２つの吸込口５４１が形成されている。
【０１１０】
下面５０５の中央は、天面５０４と同様に、僅かに隆起した突起５０５ａが長手方向に横断している。そして突起５０５ａを挟むように２つの吸込口（図示せず）が形成されている。
【０１１１】
短側面５０７の形状は、略楕円形状であり、本体５０２の長手方向と直交している。短側面５０７と反対側の端部は開いており、この開口から本体５０２内部にある機器類のメンテナンスを行うことができる。
【０１１２】
（ケーシング）
ケーシング５０９は、本体５０２を覆う部材であり、本体５０２の長手方向に沿って装着される。ケーシング５０９の上部形状は、天面５０４に合わせており、平面視においては長方形であり、側面視においては、上に凸の滑らかな円弧である。また、下部形状は、下面５０５に合わせており、平面視においては長方形であり、側面視においては、下に凸の滑らかな円弧である。
【０１１３】
ケーシング５０９には、天面５０４の突起５０４ａと嵌合するスリット５９４と、下面５０５の突起５０５ａと勘合するスリット５９５が設けられている。また、天面５０４の吸込口５４１に対向する部分には、開口５９１が設けられ、フィルタ５９２が装着されている。さらに、長側面５０６と対向する部分には、長側面５０６の吹出口５６１を妨げない大きさの開口５９６が設けられている。
【０１１４】
ケーシング５０９の長手方向の端部の一方は、本体５０２への装着のため開いており、反対側の端部は短側面５９７として閉じられている。
【０１１５】
図１３は、図１２のケーシング５０９を長軸周りに１８０度反転させた状態の斜視図である。１８０度反転させたことにより、開口５９１、フィルタ５９２は本体５０２の下面５０５の吸込口（図示せず）と対向するようになり、吸込口５４１の位置を天面５０４側から下面５０５側に代わる。
【０１１６】
また、ケーシング５０９は、ユーザーの好みに応じた色や模様を意匠に反映するために、オーダーメードによって製作される。
【０１１７】
＜室内機５０１の内部構造＞
図１２、図１３に示すように、送風機５１２は、本体２内に２つ配置されており、本実施形態では、シロッコファンを採用している。２つの送風機５１２の間には、送風機５１２を駆動するモータ５１３が配置されている。
【０１１８】
図１４は、本体５０２の内部を示す概略側面図であり、送風機５１２は、２つの送風口５１２ａ，５１２ｂを有し、送風口５１２ａと送風口５１２ｂは互いに反対の方向を向いる。また、送風機５１２には、送風口５１２ａ，５１２ｂを開閉する開閉板５６４がさらに設けられている。
【０１１９】
送風機５１２は２つあり、１つの送風機５１２には、２つの送風口５１２ａ，５１２ｂがあるので、送風口５１２ａ，５１２ｂの開閉の組合せによって、空気の吹出方法が変わる。例えば、図１２の正面視左側の送風機５１２を１号機、正面視右側の送風機５１２を２号機とし、送風口５１２ａの向きを前方、送風口５１２ｂの向きを後方とした場合、空気吹出方向の組合せは、（１号機前方，２号機前方）と、（１号機前方，２号機後方）と、（１号機後方，２号機前方）と、（１号機後方，２号機後方）との４通りの空気吹出方向を実現することができる。
【０１２０】
本実施形態では、オフィスなどの空調対象空間が大きくなるにしたがって、室内機５０１を長手方向に連結設置して、容量を増やしていくことができる。また、複数の室内機５０１を連結設置することによって、見かけ上１台の室内機のように見せることもできる。
【０１２１】
＜室内機５０１の動作＞
空気調和装置の室内機５０１が運転を開始すると、モータ５１３が送風機５１２を回転させ、吸込口５４１から空気が吸入される。吸入された空気は、フィルタ５９２を通過する際に、塵埃などが除去され、送風機５１２内に吸い込まれる。送風機５１２は、空気を熱交換器５１５に当てて、熱交換を促進させる。熱交換器５１５を通過した空気は、吹出口５６１から吹き出される。
【０１２２】
なお、本実施形態では、送風機５１２の２つの送風口５１２ａ，５１２ｂの開閉の組合せを変えることによって、吹出口５６１から吹出される方向を変更することができる。
【０１２３】
＜第６実施形態の特徴＞
第６実施形態は、第１実施形態の特徴に加えて、以下の特徴を有する。
【０１２４】
（１）
この空気調和装置の室内機５０１は、吸込口５４１が天面５０４と下面５０５とに形成されている。また、この室内機５０１には、天面５０４、下面５０５のいずれか一方の吸込口５４１を塞ぐケーシング５０９がさらに備えられている。このため、使用者は吸込口５４１の位置を選択することができ、使い勝手がよい。また、ケーシング５０９は、本体５０２の長手方向に沿って着脱され、さらにオーダーメードで製作される。このため、使用者は、ケーシング５０９の色あせ、汚れに気づいたときに外して洗浄することができる。或いは、新たな意匠のケーシング５０９、好み意匠のケーシング５０９へ交換することができる。また、ケーシング５０９の長手方向の端部から室内機５０１の保守点検を行うことができるので、点検作業が容易になる。
【０１２５】
（２）
この空気調和装置の室内機５０１は、送風機５１２と、開閉板５６４とをさらに備えている。送風機５１２は、互いに反対方向を向く２つの送風口５１２ａ，５１２ｂを有する。開閉板５６４は、送風口５１２ａ，５１２ｂを開閉する。２つの送風口５１２ａ，５１２ｂの開閉の組合せによって、空気の吹出方向が変更される。このため、使用者は、空気が本体の両側面から吹き出されるタイプ、本体の片側側面から吹き出されるタイプの、いずれか一方を選択することができる。使用者は、冷気或いは暖気に直接当たりたくないとき、位置を変える必要がなく、使い勝手が良くなる。また、送風機５１２は、シロッコファンであり、小型である。このため、設計の自由度が増す。
【０１２６】
（３）
この空気調和装置の室内機５０１は、長手方向に連結設置することができる。このため、小容量から高容量まで１機種で対応でき、製造コストが下がる。
【産業上の利用可能性】
【０１２７】
以上のように、本発明によれば、天井吊下型の空気調和装置の室内機に有用である。
【図面の簡単な説明】
【０１２８】
【図１】本発明の第１実施形態に係る空気調和装置の室内機を上方から見た場合の外観斜視図。
【図２】同空気調和装置の室内機を下方から見た場合の外観斜視図。
【図３】図１のIII−III断面図。
【図４】図１のIV−IV断面図。
【図５】本発明の第２実施形態に係る空気調和装置の室内機を上方から見た場合の外観斜視図。
【図６】図５のVI−VI断面図。
【図７】本発明の第３実施形態に係る空気調和装置の室内機を上方から見た場合の外観斜視図。
【図８】（ａ）同室内機の本体内部を表した斜視図。        （ｂ）吊りボルトの斜視図。
【図９】本発明の第４実施形態に係る空気調和装置の室内機を上方から見た場合の外観斜視図。
【図１０】本発明の第５実施形態に係る空気調和装置の室内機を上方から見た場合の外観斜視図。
【図１１】同室内機の変形例を上方から見た場合の外観斜視図。
【図１２】本発明の第６実施形態に係る空気調和装置の室内機を上方から見た場合の外観斜視図。
【図１３】図１２のケーシングを長軸周りに１８０度反転させた状態の斜視図。
【図１４】本体内部を示す概略側面図。
【符号の説明】
【０１２９】
１，１０１，２０１，３０１，４０１，５０１  空気調和装置
２，１０２，２０２，３０２，４０２，５０２  本体
３，１０３，２０３，３０３，４０３，５０３  吊り部
４，１０４，２０４，３０４，４０４，５０３  天面
５，１０５，２０５，３０５，４０５，５０５  下面
６，１０６，２０６，３０６，４０６，５０６  長側面
７，２０７，３０７，４０７，５０７  短側面
３１，１３１，２３１，３３１，４３１，５３１  冷媒配管
３２，１３２，２３２，３３２，４３２，５３２  ドレン配管
３４，１３４，２３４，３３４，４３４，５３４  電線
４１，１４１，２４１，３４１，４４１，５４１  吸込口
６１，１６１，２６１，３６１，４６１，５６１  吹出口
３０８  制御装置
４０９  パネル
４１０  照明機器
５０９  ケーシング
５１２  送風機
５１２ａ，５１２ｂ  送風口
５６４  開閉板
【図１】
2007263545.tif 000003
【図２】
2007263545.tif 000004
【図３】
2007263545.tif 000005
【図４】
2007263545.tif 000006
【図５】
2007263545.tif 000007
【図６】
2007263545.tif 000008
【図７】
2007263545.tif 000009
【図８】
2007263545.tif 000010
【図９】
2007263545.tif 000011
【図１０】
2007263545.tif 000012
【図１１】
2007263545.tif 000013
【図１２】
2007263545.tif 000014
【図１３】
2007263545.tif 000015
【図１４】
2007263545.tif 000016